(57)【要約】【課題】本発明は、従来の固定具やブックストッパーと違い、コンパクトでありながら、しっかりと厚い本も開帳を維持できる機能的なブックストッパーを提供することを目的とする。【解決手段】本発明のブックストッパーは、開帳した本の隣接する２頁の一方の頁表面に上方から当接させる上部ストッパーと、前記開帳した本の隣接する２頁の他方の頁表面に下方から当接させる下部ストッパーと、前記開帳した本の裏面背部を通り、前記上部ストッパーと前記下部ストッパーとを接続する接続部とを含み、前記開帳した本の表面側と裏面側から当該開帳した本を挟んで、当該本の開帳を維持するブックストッパーである。【選択図】図１
2018158563.tif 000002
【特許請求の範囲】
【請求項１】
開帳した本の隣接する２頁の一方の頁表面に上方から当接させる上部ストッパーと、
前記開帳した本の隣接する２頁の他方の頁表面に下方から当接させる下部ストッパーと、
前記開帳した本の裏面背部を通り、前記上部ストッパーと前記下部ストッパーとを接続する接続部と、を含み、
前記開帳した本の表面側と裏面側から当該開帳した本を挟んで、当該本の開帳を維持するブックストッパー。
【請求項２】
開帳した本の裏面背部に当接させる中心背当て部と、
前記開帳した本の隣接する２頁の一方の頁表面に上方から当接させる上部ストッパーと、
前記開帳した本の隣接する２頁の他方の頁表面に下方から当接させる下部ストッパーと、
前記上部ストッパーと前記中心背当て部を接続する上部接続部と、
前記下部ストッパーと前記中心背当て部を接続する下部接続部と、
を含み、
前記本の開帳を維持するブックストッパー。
【請求項３】
中心背当て部は、略長方形状の中心部の左端から上部方向に左上部軸を延伸させ、当該略長方形状の中心部の右端から下部方向に右下部軸を延伸させた階段状であり、
前記中心背当て部の左上方に位置して、前記左上部軸の左辺に隣接する上回転部と、
前記中心背当て部の右下方に位置して、前記右下部軸の右辺に隣接する下回転部と
左右に開帳した本の左頁の表面に上方から当接させる上部ストッパーと、
左右に開帳した本の右頁の表面に下方から当接させる下部ストッパーと、
前記上部ストッパーと前記上回転部の左辺とを接続する右上鍵型（┐型）の上部接続部と、
前記下部ストッパーと前記下回転部の右辺とを接続する左下鍵型（└型）の下部接続部と、
から構成される、請求項２に記載のブックストッパー。
【請求項４】
（１）
表面と裏面の両面を有し、当該両面を表面視で左辺、右辺、上辺、下辺とで画する長方形状で、これに切れ目を入れて、折り曲げによって請求項３に記載の前記ブックストッパーを形成する長方形用紙であって、
前記表面視で（表面側から見て）、
略長方形状の中心部の左端から上方に左上部軸を延伸させ、当該略長方形状の前記中心部の右端から下方に右下部軸を延伸させた、階段状の中心背当て部と、
（２）
上部左折り線と上部右折り線を有し、前記中心背当て部の上方に位置して、前記左上部軸の右方に前記上部左折り線を介して隣接する上回転部と、
前記長方形用紙の右辺から上辺に右上鍵型（┐型）に位置して、前記上回転部の前記上部右折り線を介して前記上回転部に隣接する上部接続部と、
前記長方形用紙の左辺上方に位置して、前記上部接続部と接続する上部ストッパーと、
（３）
下部左折り線と下部右折り線を有し、前記中心背当て部の下方に位置して、前記右下部軸の左方に前記下部右折り線を介して隣接する下回転部と、
前記長方形用紙の左辺から下方に左下鍵型（└型）に位置して、前記下回転部の前記下部左折り線を介して前記下回転部に隣接する下部接続部と、
前記長方形用紙の右辺下方に位置して、前記下部接続部と接続する下部ストッパーと、
（４）
前記上部ストッパーと前記上部接続部とを、前記中心背当て部の左辺及び前記上回転部の上辺から左上鍵型（┌型）に切り離すための左上鍵型（┌型）切れ目と、
前記上部右折り線を介して隣接する前記上回転部と前記上部接続部の各下辺を連続させて切り離すための直線状第１切れ目と、
（５）
前記下部ストッパーと前記下部接続部とを、前記中心背当て部の右辺及び前記下回転部の下辺から右下鍵型（┘型）に切り離すための右下鍵型（┘型）切れ目と、
前記下部左折り線を介して隣接する前記下回転部と前記下部接続部の各上辺を連続させて切り離すための直線状第２切れ目と、
を有し、
（６）
表面視で、
前記下回転部の前記下部左折り線と前記下部右折り線で順に折り返すことにより、前記下部ストッパーを時計回りに３６０度回転させ、
前記上回転部の前記上部右折り線と前記上部左折り線で順に折り返すことにより、前記上部ストッパーを反時計回りに３６０度回転させ、
（７）
前記上部ストッパーと前記下部ストッパーとを開いたページのそれぞれに当接させて開頁を維持するブックストッパーを形成する切れ目入り用紙。
【請求項５】
表面と裏面の両面を有し、請求項４に記載の直線状第１切れ目と直線状第２切れ目、および、左上鍵型（┌型）切れ目と右下鍵型（┘型）切れ目の４つの切れ目を入れて、折り曲げによって請求項３に記載のブックストッパーを形成する、任意の形状の用紙であって、請求項４に記載の長方形用紙の左辺、右辺、上辺、下辺に対応する左部境界線、右部境界線、上部境界線、下部境界線が、前記表面と前記裏面の両面を画する切れ目入り用紙。
【請求項６】
表面と裏面の両面を有する用紙に切れ目を入れて、折り込みによりブックストッパーを形成する方法であって、
（１）用紙を準備するステップと、
（２）前記用紙に、左上鍵型（┌型）切れ目及び右下鍵型（┘型）切れ目と、直線状第１切れ目及び直線状第２切れ目を入れて、略長方形状の中心部から左上部軸と右下部軸とを延伸させた階段状の中心背当て部と、上部ストッパー及び下部ストッパーと、上部接続部及び下部接続部と、上回転部及び下回転部とに区画された、請求項４に記載の切れ目入り用紙を形成するステップと、
（３）前記下部ストッパーを、前記下回転部の前記下部左折り線で、裏面から表面方向に１８０度折り返すステップと、
（４）前記下部ストッパーを、前記下回転部の前記下部右折り線で、表面から裏面方向に１８０度折り返すステップと、
（５）前記上部ストッパーを、前記上回転部の前記上部右折り線で、裏面から表面方向に１８０度折り返すステップと、
（６）前記上部ストッパーを、前記上回転部の前記上部左折り線で、表面から裏面方向に１８０度折り返すステップと、
を含む、ブックストッパーの形成方法。
【発明の詳細な説明】
【技術分野】
【０００１】  本発明は、ブックストッパー及びこれを形成する切れ目入り用紙に関する。
【背景技術】
【０００２】  勉強や書類作成の際、参考とする書物のページが厚さやバランスの関係によってめくれてしまうことが多かった。大抵の場合、手短にある物体をおさえとしておくことが多かったが、作業に集中することが難しくなるうえに、つり合いが取れなかったりして役に立たないことが多い。しかし、文鎮などの専用の道具はかさばるうえに重いものもあり、書類等と共に持ち運ぶことがし辛く、不便が多くあった。【０００３】  従来の本の固定具やブックストッパーは、しっかりと厚い本も開帳を維持できるものの、コンパクトではないもの、コンパクトではあるが、しっかりと厚い本も開帳を維持でないものが多かった。【０００４】  特許文献１に係る栞は、書籍の最初と最後のページに固定するための固定部と、読みかけのページに挿入されるしおり部が、折り部を介して繋がっており、さらに固定部としおり部の間の弾力をなくし、ただこのＭ字状の構造を利用し、電動でしおり部がページ間に自然に入ることができるようになっている。
この栞は、しおりを挟む手間もない上に、広告用の宣伝も行うことができる。しかし、この栞は、Ｍ字状の構造を利用し、読みかけのページにしおり部が自然に挿入することで、目印を残しておくことができるものの、そのページの開帳を固定・維持する事ができない。【０００５】  特許文献２に係る栞は、本の表紙・裏表紙に固定する基部と、該基部の上記表紙側の上端と同裏表紙側の上端とに設けられる複数の肩部と、該各肩部から本の開閉軸側と逆方向に伸びる可撓性の腕部と、上記栞本体部を本の表裏面方向に移動させて、開いたページ間に上記栞本体部を移動させて保持し、本を閉じたときに上記栞本体部の先端が最後に開いていたページに挿入されることを特徴とする自動栞である。
この栞は、しおりを挟む手間を省くことができる上に、折り曲げることにより開帳した際にしおり部の大きなスペースを必要としない。しかし、この栞は、最後に開いていたページに折り曲げたしおり部を挿入することで、目印を残しておくことができるものの、そのページの開帳を固定・維持する事ができない。【０００６】  特許文献３に係る栞は、しおりの紛失や、挟み忘れを解決するために、特殊な折り目を付けた紙を、ブックカバー又は表、裏表紙に固定ことよって、冊子を開くとしおりが外れ、再び閉じた時、現在開いているページに自動的に挟まるようにしたものである。
この栞は、しおりを挟む手間を省くことができる上に、１枚の素材から作ることができるため、シンプルで作りやすい。しかし、この栞は、最後に開いていたページに自動的に挟まることで、目印を残しておくことができるものの、そのページの開帳を固定・維持する事ができない。【０００７】
【特許文献１】実用新案登録３１９２９０６
【特許文献２】特開２０１４−６１７１９号公報
【特許文献３】特開２００８−６８６０９号公報
【発明の概要】
【発明が解決しようとする課題】
【０００８】  そこで本発明は、従来の固定具やブックストッパーと違い、コンパクトでありながら、しっかりと厚い本も開帳を維持できる機能的なブックストッパーを提供することを目的とする。
【課題を解決するための手段】
【０００９】  本発明に係るブックストッパーは、開帳した本の隣接する２頁の一方の頁表面に上方から当接させる上部ストッパーと、
前記開帳した本の隣接する２頁の他方の頁表面に下方から当接させる下部ストッパーと、
前記開帳した本の裏面背部を通り、前記上部ストッパーと前記下部ストッパーとを接続する接続部と、を含み、
前記開帳した本の表面側と裏面側から当該開帳した本を挟んで、当該本の開帳を維持することができる。【００１０】  本発明に係るブックストッパーは、開帳した本の裏面背部に当接させる中心背当て部と、
前記開帳した本の隣接する２頁の一方の頁表面に上方から当接させる上部ストッパーと、
前記開帳した本の隣接する２頁の他方の頁表面に下方から当接させる下部ストッパーと、
前記上部ストッパーと前記中心背当て部を接続する上部接続部と、
前記下部ストッパーと前記中心背当て部を接続する下部接続部と、
を含んでもよい。【００１１】  本発明に係るブックストッパーにおいて、中心背当て部は、略長方形状の中心部の左端から上部方向に左上部軸を延伸させ、当該略長方形状の中心部の右端から下部方向に右下部軸を延伸させた階段状であり、
前記中心背当て部の上方に位置して、前記左上部軸の左方に隣接する上回転部と、
前記中心背当て部の下方に位置して、前記右下部軸の右方に隣接する下回転部と
左右に開帳した本の左頁の表面に上方から当接させる上部ストッパーと、
左右に開帳した本の右頁の表面に下方から当接させる下部ストッパーと、
前記上部ストッパーと前記上回転部の右辺とを接続する右上鍵型（┐型）の上部接続部と、
前記下部ストッパーと前記下回転部の左辺とを接続する左下鍵型（└型）の下部接続部と、
から構成されてもよい。【００１２】  本発明に係る切れ目入り用紙は、表面と裏面の両面を有し、当該両面を表面視で左辺、右辺、上辺、下辺とで画する長方形状で、これに切れ目（切れ込み）を入れて、折り曲げによって前記ブックストッパーを形成する長方形用紙であって、
（１）
前記表面視で（表面側から見て）、
略長方形状の中心部の左端から上方に左上部軸を延伸させ、当該略長方形状の前記中心部の右端から下方に右下部軸を延伸させた、階段状の中心背当て部と、
（２）
上部左折り線と上部右折り線を有し、前記中心背当て部の上方に位置して、前記左上部軸の右方に前記上部左折り線を介して隣接する上回転部と、
前記長方形用紙の右辺から上辺に右上鍵型（┐型）に位置して、前記上回転部の前記上部右折り線を介して前記上回転部に隣接する上部接続部と、
前記長方形用紙の左辺上方に位置して、前記上部接続部と接続する上部ストッパーと、
（３）
下部左折り線と下部右折り線を有し、前記中心背当て部の下方に位置して、前記右下部軸の左方に前記下部右折り線を介して隣接する下回転部と、
前記長方形用紙の左辺から下方に左下鍵型（└型）に位置して、前記下回転部の前記下部左折り線を介して前記下回転部に隣接する下部接続部と、
前記長方形用紙の右辺下方に位置して、前記下部接続部と接続する下部ストッパーと、
（４）
前記上部ストッパーと前記上部接続部とを、前記中心背当て部の左辺及び前記上回転部の上辺から左上鍵型（┌型）に切り離すための左上鍵型（┌型）切れ目と、
前記上部右折り線を介して隣接する前記上回転部と前記上部接続部の各下辺を連続させて切り離すための直線状第１切れ目と、
（５）
前記下部ストッパーと前記下部接続部とを、前記中心背当て部の右辺及び前記下回転部の下辺から右下鍵型（┘型）に切り離すための右下鍵型（┘型）切れ目と、
前記下部左折り線を介して隣接する前記下回転部と前記下部接続部の各上辺を連続させて切り離すための直線状第２切れ目と、
を有し、
（６）
表面視で、
前記下回転部の前記下部左折り線と前記下部右折り線で順に折り返すことにより、前記下部ストッパーを時計回りに３６０度回転させ、
前記上回転部の前記上部右折り線と前記上部左折り線で順に折り返すことにより、前記上部ストッパーを反時計回りに３６０度回転させ、
（７）
前記上部ストッパーと前記下部ストッパーとを開いたページのそれぞれに当接させて開頁を維持することができる。【００１３】  本発明に係る切れ目入り用紙は、表面と裏面の両面を有し、上記直線状第１切れ目と直線状第２切れ目、および、左上鍵型（┌型）切れ目と右下鍵型（┘型）切れ目の４つの切れ目を入れて、折り曲げによって上記ブックストッパーを形成する、任意の形状の用紙であって、
上記長方形用紙の左辺、右辺、上辺、下辺にそれぞれ対応する左部境界線、右部境界線、上部境界線、下部境界線が、前記表面と前記裏面の両面を画する。【００１４】  本発明に係るブックストッパーの形成方法は、表面と裏面の両面を有する用紙に切れ目を入れて、折り込みによりブックストッパーを形成する方法であって、
（１）用紙を準備するステップと、
（２）前記用紙に、左上鍵型（┌型）切れ目及び右下鍵型（┘型）切れ目と、直線状第１切れ目及び直線状第２切れ目を入れて、略長方形状の中心部から左上部軸と右下部軸とを延伸させた階段状の中心背当て部と、上部ストッパー及び下部ストッパーと、上部接続部及び下部接続部と、上回転部及び下回転部とに区画された、請求項４に記載の用紙を形成するステップと、
（３）前記下部ストッパーを、前記下回転部の前記下部左折り線で、裏面から表面方向に１８０度折り返すステップと、
（４）前記下部ストッパーを、前記下回転部の前記下部右折り線で、表面から裏面方向に１８０度折り返すステップと、
（５）前記上部ストッパーを、前記上回転部の前記上部右折り線で、裏面から表面方向に１８０度折り返すステップと、
（６）前記上部ストッパーを、前記上回転部の前記上部左折り線で、表面から裏面方向に１８０度折り返すステップと、
を含む。
【発明の効果】
【００１５】  本発明にかかるブックストッパーは、上部ストッパーと下部ストッパーとを、開帳した本の見開きページのそれぞれに当接させ、中心背当て部を、当該開帳した本の裏面背部に当接させる。そのため、開帳した本の表裏から挟み込むような力が加わり、従来の固定具やブックストッパーと違い、コンパクトでありながら、しっかりと厚い本も開帳を維持することができる。【００１６】  上記本発明に係るブックストッパーは、左上鍵型（┌型）切れ目、右下鍵型（┘型）切れ目、直線状第１切れ目及び直線状第２切れ目の、４つの切れ目を入れた切れ目入り用紙を折り込んで形成することもできる。この場合、逆手順により、このような本発明に係るブックストッパーを形成する切れ目入り用紙に変形することで、本発明に係るブックストッパーをコンパクトにすることができる。したがって、紙片と同じような用紙形状にして、本に挟み込んで持ち運ぶこともできる。このような本発明に係る切れ目入り用紙は、１枚の紙に上記切込みを入れるだけで、容易に本発明のブックストッパー形成することができる。
【図面の簡単な説明】
【００１７】
【図１】本発明に係るブックストッパーの平面図。
【図２】本発明に係るブックストッパーの上部ストッパーと下部ストッパーを、それぞれ、（ａ）左頁上部と右頁下部に当接させて開帳を維持する本の平面図、（ｂ）右頁上部と左頁下部に当接させて開帳を維持する本の平面図、（ｃ）左頁左上部と右頁右下部に当接させて開帳を維持する本の平面図、（ｄ）左頁左下部と右頁右上部に当接させて開帳を維持する本の平面図。
【図３】本発明に係る実施形態１のブックストッパーの平面図。
【図４】本発明に係る実施形態２のブックストッパーの平面図。
【図５（ａ）】本発明に係るブックストッパーの形成ステップ３の平面図。
【図５（ｂ）】本発明に係るブックストッパーの形成ステップ４の平面図。
【図５（ｃ）】本発明に係るブックストッパーの形成ステップ５の平面図。
【図５（ｄ）】本発明に係るブックストッパーの形成ステップ６の平面図。
【図６】実施形態２に係るブックストッパーを挟み込んだ開帳した本の平面図。
【図７】実施形態２の他の態様に係るブックストッパーの平面図。
【発明を実施するための形態】
【００１８】  以下、図面を参照しながら本発明に係るブックストッパー１の実施形態について説明する。なお、以下各図面を通して同一の構成要素には同一の符号を使用するものとする。
Ｉ．ブックストッパー
【００１９】  図１に示す本発明に係るブックストッパー１は、図２（ａ）に示すように、開帳した本１００の隣接する２頁の一方の頁表面に上方から当接させる上部ストッパー２０Ｕと、当該開帳した本１００の隣接する２頁の他方の頁表面に下方から当接させる下部ストッパー２０Ｄと、当該開帳した本１００の裏面背部を通り、上部ストッパー２０Ｕと下部ストッパー２０Ｄとを接続する接続部３０とを含み、この開帳した本１００の表面側と裏面側から挟んで、開帳を維持することができる。
【００２０】  上部ストッパー２０Ｕと下部ストッパー２０Ｄおよび接続部３０は、紙やプラスチック、金属などで形成することができるが、その材料は特に限定されない。接続部３０は、例えば針金などの変形可能な材料で形成すれば、上部ストッパー２０Ｕと下部ストッパー２０Ｄの位置関係を自在に変更でき、本１００の形状やサイズに合わせて開帳を維持するのに便利である。
【００２１】  上部ストッパー２０Ｕ及び下部ストッパー２０Ｄに、接続部３０を接続する手段は、特に限定されないが、例えば溶接や、接着剤による接着、フックなどの取り付け具による接続などが好適である。
【００２２】  このような本発明に係るブックストッパー１は、図２（ａ）のように、開帳した本１００を、左ページの上方から上部ストッパー２０Ｕがその表面を抑え、右ページの下方から下部ストッパー２０Ｄが表面を抑えて、当該開帳した本１００の裏面背部を通る接続部３０との間に当該開帳した本１００を挟んで、開帳を維持することができる。
【００２３】  図２（ａ）に示すブックストッパー１を裏返しに用いると、図２（ｂ）のように、開帳した本１００を、右ページの上方から上部ストッパー２０Ｕがその表面を抑え、左ページの下方から下部ストッパー２０Ｄが表面を抑えるように使用することができる。
【００２４】  また、変形可能な接続部３０を適当に変形させれば、図２（ｃ）のように、開帳した本１００を、左ページの左方から上部ストッパー２０Ｕがその表面を抑え、右ページの右方から下部ストッパー２０Ｄが表面を抑えるように使用することができる。あるいは図２（ｄ）のように、開帳した本１００を、右ページの右方から上部ストッパー２０Ｕがその表面を抑え、左ページの左方から下部ストッパー２０Ｄが表面を抑えるように使用することもでき、接続部３０を適当に変形させることで、その他様々な態様で本１００の開帳を維持することができる。
［実施形態１］
【００２５】  実施形態１に係るブックストッパー１は、図３に示すように、開帳した本１００の裏面背部１００Ｂに当接させる中心背当て部１０と、開帳した本の隣接する２頁の一方の頁表面に上方から当接させる上部ストッパー２０Ｕと、開帳した本の隣接する２頁の他方の頁表面に下方から当接させる下部ストッパー２０Ｄと、上部ストッパー２０Ｕと中心背当て部１０を接続する上部接続部３０Ｕと、下部ストッパー２０Ｄと中心背当て部１０を接続する下部接続部３０Ｄと、を含む。
【００２６】  この実施形態１に係るブックストッパー１は、上述の図１に係るブックストッパー１の接続部３０の中間に中心背当て部１０を挿入したので、より安定して本１００の開帳を維持することができる。
【００２７】  中心背当て部１０を構成する材料は、上部ストッパー２０Ｕと下部ストッパー２０Ｄ等と同様に任意であり、紙やプラスチック、金属などで形成することができる。また、その形状も丸や多角形など任意の形を採用することができ、特に限定されない。
［実施形態２］
【００２８】  実施形態２に係るブックストッパー１において、図４に示すように、中心背当て部１０は、略長方形状の中心部１１の左端から上部方向に左上部軸１２Ｕを延伸させ、当該略長方形状の中心部１１の右端から下部方向に右下部軸１２Ｄを延伸させた階段状である。
【００２９】  そして、ブックストッパー１は、上記中心背当て部１０と、中心背当て部１０の左上方に位置して、左上部軸１２Ｕの左辺に隣接する上回転部４０Ｕと、中心背当て部１０の右下方に位置して、右下部軸１２Ｄの右辺に隣接する下回転部４０Ｄと、左右に開帳した本１００の左頁の表面に上方から当接させる上部ストッパー２０Ｕと、左右に開帳した本１００の右頁の表面に下方から当接させる下部ストッパー２０Ｄと、上部ストッパー２０Ｕと上回転部１２Ｕの左辺とを接続する右上鍵型（┐型）の上部接続部３０Ｕと、下部ストッパー２０Ｄと下回転部１２Ｄの右辺とを接続する左下鍵型（└型）の下部接続部３０Ｄと、から成る。
【００３０】  本実施形態２に係るブックストッパー１は、上記実施形態１に係るブックストッパー１と同様に、左右に開帳した本１００の左頁の表面に上方から当接させる上部ストッパー２０Ｕと、左右に開帳した本１００の右頁の表面に下方から当接させる下部ストッパー２０Ｄとを有している。
【００３１】  このような本実施形態２に係るブックストッパー１は、実施形態１に係るブックストッパー１に、上回転部４０Ｕと下回転部４０Ｄが付加されているが、上記実施形態のブックストッパー１と同様に、本１００の開帳を安定して維持することができる。
ＩＩ．ブックストッパーを形成する切れ目入り用紙
【００３２】  本実施形態に係るブックストッパー１を形成する切れ目入り用紙２は、図５（ａ）のように、表面と裏面の両面を有し、両面を表面視で左辺２Ｌ、右辺２Ｒ、上辺２Ｕ、下辺２Ｄとで画する長方形状である。この長方形用紙２に切れ目５０Ｕ、５２Ｕ、５０Ｄ、５２Ｄを入れて、上部左折り線４０ＵＬ、上部右折り線４０ＵＲ、下部左折り線４０ＤＬ、下部右折り線４０ＤＲに沿った折り曲げによって上記実施形態２に係るブックストッパー１を形成する。
【００３３】  長方形用紙２は、中心背当て部１０と上回転部４０Ｕと上部接続部３０Ｕと上部ストッパー２０Ｕと下回転部４０Ｄと下部接続部３０Ｄと下部ストッパー２０Ｄとからなる。そして、これらの構成要素は、左上鍵型（┌型）切れ目５０Ｕと直線状第１切れ目５２Ｕと右下鍵型（┘型）切れ目５０Ｄと直線状第２切れ目５２Ｄとによって分離されている。
【００３４】  中心背当て部１０は、表面視で（表面側から見て）、略長方形状の中心部１１の左端から上部方向に左上部軸１２Ｕを延伸させ、略長方形状の中心部１１の右端から下部方向に右下部軸１２Ｄを延伸させた、階段状である。
【００３５】  上回転部４０Ｕは、上部左折り線４０ＵＬと上部右折り線４０ＵＲを有し、中心背当て部１０の上方に位置して、左上部軸１２Ｕの右方に上部左折り線４０ＵＬを介して隣接する。また、上部接続部３０Ｕは、長方形用紙２の右辺２Ｒから上辺２Ｕに右上鍵型（┐型）に位置して、上回転部４０Ｕの上部右折り線４０ＵＲを介して上回転部４０Ｕに隣接する。そして、上部ストッパー２０Ｕは、長方形用紙２の左辺２Ｌの上方に位置して、上部接続部３０Ｕと接続する。
【００３６】  次に、下回転部４０Ｄは、下部左折り線４０ＤＬと下部右折り線４０ＤＲを有し、中心背当て部１０の下方に位置して、右下部軸１２Ｄの左方に下部右折り線４０ＤＲを介して隣接する。また、下部接続部３０Ｄは、長方形用紙２の左辺から下辺に左下鍵型（└型）に位置して、下回転部４０Ｄの下部左折り線４０ＤＬを介して下回転部４０Ｄに隣接する。そして、下部ストッパー２０Ｄは、長方形用紙２の右辺下方に位置して、下部接続部３０Ｄと接続する。
【００３７】  このような、長方形用紙２を構成する中心背当て部１０、上回転部４０Ｕ、上部接続部３０Ｕ、上部ストッパー２０Ｕ、下回転部４０Ｄ、下部接続部３０Ｄ、および、下部ストッパー２０Ｄの７つの構成要素は、以下のように、左上鍵型（┌型）切れ目５０Ｕと直線状第１切れ目５２Ｕと右下鍵型（┘型）切れ目５０Ｄと直線状第２切れ目５２Ｄの４つの切れ目を長方形用紙２に入れることにより形成することができる。以下、この４つの切れ目（切れ込み）について説明する。
【００３８】  長方形用紙２の上方において、左上鍵型（┌型）切れ目５０Ｕは、上部ストッパー２０Ｕと上部接続部３０Ｕとを、中心背当て部１０の左辺及び上回転部４０Ｕの上辺から左上鍵型（┌型）と切り離す。また、直線状第１切れ目５２Ｕは、上部右折り線４０ＵＲを介して隣接する上回転部４０Ｕと上部接続部３０Ｕの各下辺を連続させて切り離す。
【００３９】  次に、長方形用紙２の下方において、右下鍵型（┘型）切れ目５０Ｄは、下部ストッパー２０Ｄと下部接続部３０Ｄとを、中心背当て部１０の右辺及び下回転部４０Ｕの下辺から左下鍵型（┘型）に切り離す。また、直線状第２切れ目５２Ｄは、下部左折り線４０ＤＬを介して隣接する下回転部４０Ｄと下部接続部３０Ｄの各上辺を連続させて切り離す。
【００４０】  以上のような構成の本発明に係る切れ目入り用紙２に折り込みを入れて、実施形態２に係るブックストッパー１を形成するには、まず、表面視で、下部ストッパー２０Ｄを、下回転部４０Ｄの下部左折り線４０ＤＬと下部右折り線４０ＤＲで順に折り返すことにより、時計回りに３６０度回転させる（図５（ａ）、図５（ｂ））。同様に、上部ストッパー２０Ｕを、上回転部４０Ｕの上部右折り線４０ＵＲと上部左折り線４０ＵＬで順に折り返すことにより、反時計回りに３６０度回転させる（図５（ｃ）、図５（ｄ））。
【００４１】  このような簡単な折込手順により、実施形態２に係るブックストッパー１を形成することができ（図４）、上部ストッパー２０Ｕと下部ストッパー２０Ｄとを開帳した本１００の開いたページに当接させて（図６）、しっかりと開帳した本１００を見開きのまま維持することができる。
【００４２】  本発明に係るブックストッパーを形成する切れ目入り用紙は長方形に限定されるものではない。すなわち、  図７に示すように、本発明に係る切れ目入り用紙２’は、表面と裏面の両面を有し、上記直線状第１切れ目５２Ｕと直線状第２切れ目５２Ｄ、および、左上鍵型（┌型）切れ目５０Ｕと右下鍵型（┘型）切れ目５０Ｄの４つの切れ目を入れることができる任意の形状の用紙であってよい。
【００４３】  図７に示す切れ目入り用紙２’においては、上記実施形態の長方形用紙（図５（ａ）参照）の左辺２Ｌ、右辺２Ｒ、上辺２Ｕ、下辺２Ｄにそれぞれ対応する左部境界線２Ｌ’、右部境界線２Ｒ’、上部境界線２Ｕ’、下部境界線２Ｄ’が、切れ目入り用紙２’の表面と裏面の両面を画している。例えば、切れ目入り用紙２’において、左上鍵型（┌型）切れ目５０Ｕと右下鍵型（┘型）切れ目５０Ｄの上下方向に延びる切れ目を延長して、切れ目入り用紙２’の上端と下端の境界と交わる点を、図７のようにＰ、Ｑ、Ｒ、Ｓとして、ＰＱ間の境界線を左辺２Ｌ、ＲＳ間の境界線を右辺２Ｒ、ＳＰ間の境界線を上辺２Ｕ、ＱＲ間の境界線を下辺２Ｄ、とすればよい。
【００４４】  このように、図７に示すような長方形以外の形状の切れ目入り用紙２’であっても、上記４つの切れ目を入れることができれば、折り曲げによって実施形態２に記載したブックストッパーを形成することが可能である。
ＩＩＩ．切れ目入り用紙からブックストッパーを形成する方法
【００４５】  本発明に係るブックストッパー１の形成方法は、表面と裏面の両面を有し、当該両面を表面視で左辺２Ｌ、右辺２Ｒ、上辺２Ｕ、下辺２Ｄとで画する長方形用紙２に切れ目（切り込み）を入れて、折り込みによりブックストッパー１を形成する方法であって、
（ステップ１）長方形用紙２を準備するステップと、
（ステップ１）長方形用紙２に、左上鍵型（┌型）切れ目５０Ｕ及び右下鍵型（┘型）切れ目５０Ｄと、直線状第１切れ目５２Ｕ及び直線状第２切れ目５２Ｄを入れて、略長方形状の中心部１１から左上部軸１２Ｕと右下部軸１２Ｄとを延伸させた階段状の中心背当て部１０と、上部ストッパー２０Ｕ及び下部ストッパー２０Ｄと、上部接続部３０Ｕ及び下部接続部３０Ｄと、上回転部４０Ｕ及び下回転部４０Ｄとに区画された、請求項４に記載の長方形用紙２を形成するステップと、
（ステップ３）下部ストッパー２０Ｄを、下回転部４０Ｄの下部左折り線４０ＤＬで、裏面から表面方向に１８０度折り返すステップと、（図５（ａ））
（ステップ４）前記下部ストッパーを、下回転部４０Ｄの下部右折り線４０ＤＲで、表面から裏面方向に１８０度折り返すステップと、（図５（ｂ））
（ステップ５）前記上部ストッパーを、上回転部４０Ｕの上部右折り線４０ＵＲで、裏面から表面方向に１８０度折り返すステップと、（図５（ｃ））
（ステップ６）前記上部ストッパーを、上回転部４０Ｕの上部左折り線４０ＵＬで、表面から裏面方向に１８０度折り返すステップと、（図５（ｄ））
を含む。
【００４６】  以上、本発明に係るブックストッパー及びこれを形成する切れ目入り用紙、そして、この切れ目入り用紙からブックストッパーを形成する方法について、実施形態を用いて説明したが、本発明は上記実施形態等に限定されるものではない。各実施形態のブックストッパー及びこれを形成する切れ目入り用紙は、構成材料を任意に選択することができ、各構成要素の接続方法も任意である。本発明に係るブックストッパー及びこれを形成する切れ目入り用紙は、裏表を逆にしても同様に使用できるように構成すれば使用態様が広がり、さらに平面内で９０度回転させて使用すれば、より使用態様のバリエーションを増やすことができる。
【００４７】  その他、本発明は、その主旨を逸脱しない範囲で当業者の知識に基づき種々の改良、修正、変更を加えた態様で実施できるものである。
【産業上の利用可能性】
【００４８】  本発明に係るブックストッパーは、見開きのまま開帳を維持したい様々な本に利用することが出来る。
【符号の説明】
【００４９】１：ブックストッパー
２：切れ目入り用紙
２Ｌ：左辺
２Ｒ：右辺
２Ｕ：上辺
２Ｄ：下辺
２Ｌ’：左部境界線
２Ｒ’：右部境界線
２Ｕ’：上部境界線
２Ｄ’：下部境界線
１０：中心背当て部
１１：中心部
１２Ｕ：左上部軸
１２Ｄ：右下部軸
２０Ｕ：上部ストッパー
２０Ｄ：下部ストッパー
３０：接続部
３０Ｕ：上部接続部
３０Ｄ：下部接続部
４０Ｕ：上回転部
４０Ｄ：下回転部
４０ＵＬ：上部左折り線
４０ＵＲ：上部右折り線
４０ＤＬ：下部左折り線
４０ＤＲ：下部右折り線
５０Ｕ：左上鍵型（┌型）切れ目
５０Ｄ：右下鍵型（┘型）切れ目
５２Ｕ：直線状第１切れ目
５２Ｄ：直線状第２切れ目
１００：本
１００Ｂ：裏面背部
【図１】
2018158563.tif 000003
【図２】
2018158563.tif 000004
【図３】
2018158563.tif 000005
【図４】
2018158563.tif 000006
【図５（ａ）】
2018158563.tif 000007
【図５（ｂ）】
2018158563.tif 000008
【図５（ｃ）】
2018158563.tif 000009
【図５（ｄ）】
2018158563.tif 000010
【図６】
2018158563.tif 000011
【図７】
2018158563.tif 000012
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
開帳した本の裏面背部に当接させる中心背当て部と、
前記開帳した本の隣接する２頁の一方の頁表面に上方から当接させる上部ストッパーと、
前記開帳した本の隣接する２頁の他方の頁表面に下方から当接させる下部ストッパーと、
前記上部ストッパーと前記中心背当て部を接続する上部接続部と、
前記下部ストッパーと前記中心背当て部を接続する下部接続部と、
を含むブックストッパーであって、
前記中心背当て部は、略長方形状の中心部の左端から上部方向に左上部軸を延伸させ、当該略長方形状の中心部の右端から下部方向に右下部軸を延伸させた階段状であり、
更に、
前記中心背当て部の左上方に位置して、前記左上部軸の左辺に隣接する上回転部と、
前記中心背当て部の右下方に位置して、前記右下部軸の右辺に隣接する下回転部と、
を含み、
前記上部接続部は右上鍵型（┐型）であり、前記上部ストッパーと前記上回転部の左辺とを接続し、
前記下部接続部は右下鍵型（└型）であり、前記下部ストッパーと前記下回転部の右辺とを接続する、
前記本の開帳を維持するブックストッパー。
【請求項２】
（１）
表面と裏面の両面を有し、当該両面を表面視で左辺、右辺、上辺、下辺とで画する長方形状で、これに切れ目を入れて、折り曲げによって請求項１に記載の前記ブックストッパーを形成する長方形用紙であって、
前記表面視で（表面側から見て）、
略長方形状の中心部の左端から上方に左上部軸を延伸させ、当該略長方形状の前記中心部の右端から下方に右下部軸を延伸させた、階段状の中心背当て部と、
（２）
上部左折り線と上部右折り線を有し、前記中心背当て部の上方に位置して、前記左上部軸の右方に前記上部左折り線を介して隣接する上回転部と、
前記長方形用紙の右辺から上辺に右型鍵型（┐型）に位置して、前記上回転部の前記上部右折り線を介して前記上回転部に隣接する上部接続部と、
前記長方形用紙の左辺上方に位置して、前記上部接続部と接続する上部ストッパーと、
（３）
下部左折り線と下部右折り線を有し、前記中心背当て部の下方に位置して、前記右下部軸の左方に前記下部右折り線を介して隣接する下回転部と、
前記長方形用紙の左辺から下方に左下鍵型（└型）に位置して、前記下回転部の前記下部左折り線を介して前記下回転部に隣接する下部接続部と、
前記長方形用紙の右辺下方に位置して、前記下部接続部と接続する下部ストッパーと、
（４）
前記上部ストッパーと前記上部接続部とを、前記中心背当て部の左辺及び前記上回転部の上辺から左上鍵型（┌型）に切り離すための左上鍵型（┌型）切れ目と、
前記上部右折り線を介して隣接する前記上回転部と前記上部接続部の各下辺を連続させて切り離すための直線状第１切れ目と、
（５）
前記下部ストッパーと前記下部接続部とを、前記中心背当て部の右辺及び前記下回転部の下辺から右下鍵型（┘型）に切り離すための右下鍵型（」型）切れ目と、
前記下部左折り線を介して隣接する前記下回転部と前記下部接続部の各上辺を連続させて切り離すための直線状第２切れ目と、
を有し、
（６）
表面視で、
前記下回転部の前記下部左折り線と前記下部右折り線で順に折り返すことにより、前記下部ストッパーを時計回りに３６０度回転させ、
前記上回転部の前記上部右折り線と前記上部左折り線で順に折り返すことにより、前記上部ストッパーを反時計回りに３６０度回転させ、
（７）
前記上部ストッパーと前記下部ストッパーとを開いたページのそれぞれに当接させて開頁を維持するブックストッパーを形成する切れ目入り用紙。
【請求項３】
表面と裏面の両面を有し、請求項２に記載の直線状第１切れ目と直線状第２切れ目、および、左上鍵型（┌型）切れ目と右下鍵型（┘型）切れ目の４つの切れ目を入れて、折り曲げによって請求項１に記載のブックストッパーを形成する、任意の形状の用紙であって、
請求項２に記載の長方形用紙の左辺、右辺、上辺、下辺に対応する左部境界線、右部境界線、上部境界線、下部境界線が、前記表面と前記裏面の両面を画する切れ目入り用紙。
【請求項４】
表面と裏面の両面を有する用紙に切れ目を入れて、折り込みによりブックストッパーを形成する方法であって、
（１）用紙を準備するステップと、
（２）前記用紙に、左上鍵型（┌型）切れ目及び右下鍵型（┘型）切れ目と、直線状第１切れ目及び直線状第２切れ目を入れて、略長方形状の中心部から左上部軸と右下部軸とを延伸させた階段状の中心背当て部と、上部ストッパー及び下部ストッパーと、上部接続部及び下部接続部と、上回転部及び下回転部とに区画された、請求項２に記載の切れ目入り用紙を形成するステップと、
（３）前記下部ストッパーを、前記下回転部の前記下部左折り線で、裏面から表面方向に１８０度折り返すステップと、
（４）前記下部ストッパーを、前記下回転部の前記下部右折り線で、表面から裏面方向に１８０度折り返すステップと、
（５）前記上部ストッパーを、前記上回転部の前記上部右折り線で、裏面から表面方向に１８０度折り返すステップと、
（６）前記上部ストッパーを、前記上回転部の前記上部左折り線で、表面から裏面方向に１８０度折り返すステップと、
を含む、ブックストッパーの形成方法。
【手続補正２】
【補正対象書類名】明細書
【補正対象項目名】全文
【補正方法】変更
【補正の内容】
【発明の詳細な説明】
【技術分野】
【０００１】  本発明は、ブックストッパー及びこれを形成する切れ目入り用紙に関する。
【背景技術】
【０００２】  勉強や書類作成の際、参考とする書物のページが厚さやバランスの関係によってめくれてしまうことが多かった。大抵の場合、手短にある物体をおさえとしておくことが多かったが、作業に集中することが難しくなるうえに、つり合いが取れなかったりして役に立たないことが多い。しかし、文鎮などの専用の道具はかさばるうえに重いものもあり、書類等と共に持ち運ぶことがし辛く、不便が多くあった。【０００３】  従来の本の固定具やブックストッパーは、しっかりと厚い本も開帳を維持できるものの、コンパクトではないもの、コンパクトではあるが、しっかりと厚い本も開帳を維持でないものが多かった。【０００４】  特許文献１に係る栞は、書籍の最初と最後のページに固定するための固定部と、読みかけのページに挿入されるしおり部が、折り部を介して繋がっており、さらに固定部としおり部の間の弾力をなくし、ただこのＭ字状の構造を利用し、電動でしおり部がページ間に自然に入ることができるようになっている。
この栞は、しおりを挟む手間もない上に、広告用の宣伝も行うことができる。しかし、この栞は、Ｍ字状の構造を利用し、読みかけのページにしおり部が自然に挿入することで、目印を残しておくことができるものの、そのページの開帳を固定・維持する事ができない。【０００５】  特許文献２に係る栞は、本の表紙・裏表紙に固定する基部と、該基部の上記表紙側の上端と同裏表紙側の上端とに設けられる複数の肩部と、該各肩部から本の開閉軸側と逆方向に伸びる可撓性の腕部と、上記栞本体部を本の表裏面方向に移動させて、開いたページ間に上記栞本体部を移動させて保持し、本を閉じたときに上記栞本体部の先端が最後に開いていたページに挿入されることを特徴とする自動栞である。
この栞は、しおりを挟む手間を省くことができる上に、折り曲げることにより開帳した際にしおり部の大きなスペースを必要としない。しかし、この栞は、最後に開いていたページに折り曲げたしおり部を挿入することで、目印を残しておくことができるものの、そのページの開帳を固定・維持する事ができない。【０００６】  特許文献３に係る栞は、しおりの紛失や、挟み忘れを解決するために、特殊な折り目を付けた紙を、ブックカバー又は表、裏表紙に固定ことよって、冊子を開くとしおりが外れ、再び閉じた時、現在開いているページに自動的に挟まるようにしたものである。
この栞は、しおりを挟む手間を省くことができる上に、１枚の素材から作ることができるため、シンプルで作りやすい。しかし、この栞は、最後に開いていたページに自動的に挟まることで、目印を残しておくことができるものの、そのページの開帳を固定・維持する事ができない。【０００７】
【特許文献１】実用新案登録３１９２９０６
【特許文献２】特開２０１４−６１７１９号公報
【特許文献３】特開２００８−６８６０９号公報
【発明の概要】
【発明が解決しようとする課題】
【０００８】  そこで本発明は、従来の固定具やブックストッパーと違い、コンパクトでありながら、しっかりと厚い本も開帳を維持できる機能的なブックストッパーを提供することを目的とする。
【課題を解決するための手段】
【０００９】  本発明に係るブックストッパーは、開帳した本の裏面背部に当接させる中心背当て部と、
前記開帳した本の隣接する２頁の一方の頁表面に上方から当接させる上部ストッパーと、
前記開帳した本の隣接する２頁の他方の頁表面に下方から当接させる下部ストッパーと、
前記上部ストッパーと前記中心背当て部を接続する上部接続部と、
前記下部ストッパーと前記中心背当て部を接続する下部接続部と、
を含むブックストッパーであって、
前記中心背当て部は、略長方形状の中心部の左端から上部方向に左上部軸を延伸させ、当該略長方形状の中心部の右端から下部方向に右下部軸を延伸させた階段状であり、
前記中心背当て部の左上方に位置して、前記左上部軸の左辺に隣接する上回転部と、
前記中心背当て部の右下方に位置して、前記右下部軸の右辺に隣接する下回転部と、
を更に含み、
前記上部接続部は右上鍵型（┐型）であり、前記上部ストッパーと前記上回転部の左辺とを接続し、
前記下部接続部は左下鍵型（└型）であり、前記下部ストッパーと前記下回転部の右辺とを接続し、前記本の開帳を維持する。【００１０】  本発明に係る切れ目入り用紙は、表面と裏面の両面を有し、当該両面を表面視で左辺、右辺、上辺、下辺とで画する長方形状で、これに切れ目（切れ込み）を入れて、折り曲げによって前記ブックストッパーを形成する長方形用紙であって、
（１）
前記表面視で（表面側から見て）、
略長方形状の中心部の左端から上方に左上部軸を延伸させ、当該略長方形状の前記中心部の右端から下方に右下部軸を延伸させた、階段状の中心背当て部と、
（２）
上部左折り線と上部右折り線を有し、前記中心背当て部の上方に位置して、前記左上部軸の右方に前記上部左折り線を介して隣接する上回転部と、
前記長方形用紙の右辺から上辺に右上鍵型（┐型）に位置して、前記上回転部の前記上部右折り線を介して前記上回転部に隣接する上部接続部と、
前記長方形用紙の左辺上方に位置して、前記上部接続部と接続する上部ストッパーと、
（３）
下部左折り線と下部右折り線を有し、前記中心背当て部の下方に位置して、前記右下部軸の左方に前記下部右折り線を介して隣接する下回転部と、
前記長方形用紙の左辺から下方に左下鍵型（└型）に位置して、前記下回転部の前記下部左折り線を介して前記下回転部に隣接する下部接続部と、
前記長方形用紙の右辺下方に位置して、前記下部接続部と接続する下部ストッパーと、
（４）
前記上部ストッパーと前記上部接続部とを、前記中心背当て部の左辺及び前記上回転部の上辺から左上鍵型（┌型）に切り離すための左上鍵型（┌型）切れ目と、
前記上部右折り線を介して隣接する前記上回転部と前記上部接続部の各下辺を連続させて切り離すための直線状第１切れ目と、
（５）
前記下部ストッパーと前記下部接続部とを、前記中心背当て部の右辺及び前記下回転部の下辺から右下鍵型（┘型）に切り離すための右下鍵型（┘型）切れ目と、
前記下部左折り線を介して隣接する前記下回転部と前記下部接続部の各上辺を連続させて切り離すための直線状第２切れ目と、
を有し、
（６）
表面視で、
前記下回転部の前記下部左折り線と前記下部右折り線で順に折り返すことにより、前記下部ストッパーを時計回りに３６０度回転させ、
前記上回転部の前記上部右折り線と前記上部左折り線で順に折り返すことにより、前記上部ストッパーを反時計回りに３６０度回転させ、
（７）
前記上部ストッパーと前記下部ストッパーとを開いたページのそれぞれに当接させて開頁を維持することができる。【００１１】  本発明に係る切れ目入り用紙は、表面と裏面の両面を有し、上記直線状第１切れ目と直線状第２切れ目、および、左上鍵型（┌型）切れ目と右下鍵型（┘型）切れ目の４つの切れ目を入れて、折り曲げによって上記ブックストッパーを形成する、任意の形状の用紙であって、
上記長方形用紙の左辺、右辺、上辺、下辺にそれぞれ対応する左部境界線、右部境界線、上部境界線、下部境界線が、前記表面と前記裏面の両面を画する。【００１２】  本発明に係るブックストッパーの形成方法は、表面と裏面の両面を有する用紙に切れ目を入れて、折り込みによりブックストッパーを形成する方法であって、
（１）用紙を準備するステップと、
（２）前記用紙に、左上鍵型（┌型）切れ目及び右下鍵型（┘型）切れ目と、直線状第１切れ目及び直線状第２切れ目を入れて、略長方形状の中心部から左上部軸と右下部軸とを延伸させた階段状の中心背当て部と、上部ストッパー及び下部ストッパーと、上部接続部及び下部接続部と、上回転部及び下回転部とに区画された、上記用紙を形成するステップと、
（３）前記下部ストッパーを、前記下回転部の前記下部左折り線で、裏面から表面方向に１８０度折り返すステップと、
（４）前記下部ストッパーを、前記下回転部の前記下部右折り線で、表面から裏面方向に１８０度折り返すステップと、
（５）前記上部ストッパーを、前記上回転部の前記上部右折り線で、裏面から表面方向に１８０度折り返すステップと、
（６）前記上部ストッパーを、前記上回転部の前記上部左折り線で、表面から裏面方向に１８０度折り返すステップと、
を含む。
【発明の効果】
【００１３】  本発明にかかるブックストッパーは、上部ストッパーと下部ストッパーとを、開帳した本の見開きページのそれぞれに当接させ、中心背当て部を、当該開帳した本の裏面背部に当接させる。そのため、開帳した本の表裏から挟み込むような力が加わり、従来の固定具やブックストッパーと違い、コンパクトでありながら、しっかりと厚い本も開帳を維持することができる。【００１４】  上記本発明に係るブックストッパーは、左上鍵型（┌型）切れ目、右下鍵型（┘型）切れ目、直線状第１切れ目及び直線状第２切れ目の、４つの切れ目を入れた切れ目入り用紙を折り込んで形成することもできる。この場合、逆手順により、このような本発明に係るブックストッパーを形成する切れ目入り用紙に変形することで、本発明に係るブックストッパーをコンパクトにすることができる。したがって、紙片と同じような用紙形状にして、本に挟み込んで持ち運ぶこともできる。このような本発明に係る切れ目入り用紙は、１枚の紙に上記切込みを入れるだけで、容易に本発明のブックストッパー形成することができる。
【図面の簡単な説明】
【００１５】
【図１】本発明に係るブックストッパーの平面図。
【図２】本発明に係るブックストッパーの上部ストッパーと下部ストッパーを、それぞれ、（ａ）左頁上部と右頁下部に当接させて開帳を維持する本の平面図、（ｂ）右頁上部と左頁下部に当接させて開帳を維持する本の平面図、（ｃ）左頁左上部と右頁右下部に当接させて開帳を維持する本の平面図、（ｄ）左頁左下部と右頁右上部に当接させて開帳を維持する本の平面図。
【図３】本発明に係る実施形態１のブックストッパーの平面図。
【図４】本発明に係る実施形態２のブックストッパーの平面図。
【図５（ａ）】本発明に係るブックストッパーの形成ステップ３の平面図。
【図５（ｂ）】本発明に係るブックストッパーの形成ステップ４の平面図。
【図５（ｃ）】本発明に係るブックストッパーの形成ステップ５の平面図。
【図５（ｄ）】本発明に係るブックストッパーの形成ステップ６の平面図。
【図６】実施形態２に係るブックストッパーを挟み込んだ開帳した本の平面図。
【図７】実施形態２の他の態様に係るブックストッパーの平面図。
【発明を実施するための形態】
【００１６】  以下、図面を参照しながら本発明に係るブックストッパー１の実施形態について説明する。なお、以下各図面を通して同一の構成要素には同一の符号を使用するものとする。
Ｉ．ブックストッパー
【００１７】  図１に示す本発明に係るブックストッパー１は、図２（ａ）に示すように、開帳した本１００の隣接する２頁の一方の頁表面に上方から当接させる上部ストッパー２０Ｕと、当該開帳した本１００の隣接する２頁の他方の頁表面に下方から当接させる下部ストッパー２０Ｄと、当該開帳した本１００の裏面背部を通り、上部ストッパー２０Ｕと下部ストッパー２０Ｄとを接続する接続部３０とを含み、この開帳した本１００の表面側と裏面側から挟んで、開帳を維持することができる。
【００１８】  上部ストッパー２０Ｕと下部ストッパー２０Ｄおよび接続部３０は、紙やプラスチック、金属などで形成することができるが、その材料は特に限定されない。接続部３０は、例えば針金などの変形可能な材料で形成すれば、上部ストッパー２０Ｕと下部ストッパー２０Ｄの位置関係を自在に変更でき、本１００の形状やサイズに合わせて開帳を維持するのに便利である。
【００１９】  上部ストッパー２０Ｕ及び下部ストッパー２０Ｄに、接続部３０を接続する手段は、特に限定されないが、例えば溶接や、接着剤による接着、フックなどの取り付け具による接続などが好適である。
【００２０】  このような本発明に係るブックストッパー１は、図２（ａ）のように、開帳した本１００を、左ページの上方から上部ストッパー２０Ｕがその表面を抑え、右ページの下方から下部ストッパー２０Ｄが表面を抑えて、当該開帳した本１００の裏面背部を通る接続部３０との間に当該開帳した本１００を挟んで、開帳を維持することができる。
【００２１】  図２（ａ）に示すブックストッパー１を裏返しに用いると、図２（ｂ）のように、開帳した本１００を、右ページの上方から上部ストッパー２０Ｕがその表面を抑え、左ページの下方から下部ストッパー２０Ｄが表面を抑えるように使用することができる。
【００２２】  また、変形可能な接続部３０を適当に変形させれば、図２（ｃ）のように、開帳した本１００を、左ページの左方から上部ストッパー２０Ｕがその表面を抑え、右ページの右方から下部ストッパー２０Ｄが表面を抑えるように使用することができる。あるいは図２（ｄ）のように、開帳した本１００を、右ページの右方から上部ストッパー２０Ｕがその表面を抑え、左ページの左方から下部ストッパー２０Ｄが表面を抑えるように使用することもでき、接続部３０を適当に変形させることで、その他様々な態様で本１００の開帳を維持することができる。
［実施形態１］
【００２３】  実施形態１に係るブックストッパー１は、図３に示すように、開帳した本１００の裏面背部１００Ｂに当接させる中心背当て部１０と、開帳した本の隣接する２頁の一方の頁表面に上方から当接させる上部ストッパー２０Ｕと、開帳した本の隣接する２頁の他方の頁表面に下方から当接させる下部ストッパー２０Ｄと、上部ストッパー２０Ｕと中心背当て部１０を接続する上部接続部３０Ｕと、下部ストッパー２０Ｄと中心背当て部１０を接続する下部接続部３０Ｄと、を含む。
【００２４】  この実施形態１に係るブックストッパー１は、上述の図１に係るブックストッパー１の接続部３０の中間に中心背当て部１０を挿入したので、より安定して本１００の開帳を維持することができる。
【００２５】  中心背当て部１０を構成する材料は、上部ストッパー２０Ｕと下部ストッパー２０Ｄ等と同様に任意であり、紙やプラスチック、金属などで形成することができる。また、その形状も丸や多角形など任意の形を採用することができ、特に限定されない。
［実施形態２］
【００２６】  実施形態２に係るブックストッパー１において、図４に示すように、中心背当て部１０は、略長方形状の中心部１１の左端から上部方向に左上部軸１２Ｕを延伸させ、当該略長方形状の中心部１１の右端から下部方向に右下部軸１２Ｄを延伸させた階段状である。
【００２７】  そして、ブックストッパー１は、上記中心背当て部１０と、中心背当て部１０の左上方に位置して、左上部軸１２Ｕの左辺に隣接する上回転部４０Ｕと、中心背当て部１０の右下方に位置して、右下部軸１２Ｄの右辺に隣接する下回転部４０Ｄと、左右に開帳した本１００の左頁の表面に上方から当接させる上部ストッパー２０Ｕと、左右に開帳した本１００の右頁の表面に下方から当接させる下部ストッパー２０Ｄと、上部ストッパー２０Ｕと上回転部１２Ｕの左辺とを接続する右上鍵型（┐型）の上部接続部３０Ｕと、下部ストッパー２０Ｄと下回転部１２Ｄの右辺とを接続する左下鍵型（└型）の下部接続部３０Ｄと、から成る。
【００２８】  本実施形態２に係るブックストッパー１は、上記実施形態１に係るブックストッパー１と同様に、左右に開帳した本１００の左頁の表面に上方から当接させる上部ストッパー２０Ｕと、左右に開帳した本１００の右頁の表面に下方から当接させる下部ストッパー２０Ｄとを有している。
【００２９】  このような本実施形態２に係るブックストッパー１は、実施形態１に係るブックストッパー１に、上回転部４０Ｕと下回転部４０Ｄが付加されているが、上記実施形態のブックストッパー１と同様に、本１００の開帳を安定して維持することができる。
ＩＩ．ブックストッパーを形成する切れ目入り用紙
【００３０】  本実施形態に係るブックストッパー１を形成する切れ目入り用紙２は、図５（ａ）のように、表面と裏面の両面を有し、両面を表面視で左辺２Ｌ、右辺２Ｒ、上辺２Ｕ、下辺２Ｄとで画する長方形状である。この長方形用紙２に切れ目５０Ｕ、５２Ｕ、５０Ｄ、５２Ｄを入れて、上部左折り線４０ＵＬ、上部右折り線４０ＵＲ、下部左折り線４０ＤＬ、下部右折り線４０ＤＲに沿った折り曲げによって上記実施形態２に係るブックストッパー１を形成する。
【００３１】  長方形用紙２は、中心背当て部１０と上回転部４０Ｕと上部接続部３０Ｕと上部ストッパー２０Ｕと下回転部４０Ｄと下部接続部３０Ｄと下部ストッパー２０Ｄとからなる。そして、これらの構成要素は、左上鍵型（┌型）切れ目５０Ｕと直線状第１切れ目５２Ｕと右下鍵型（┘型）切れ目５０Ｄと直線状第２切れ目５２Ｄとによって分離されている。
【００３２】  中心背当て部１０は、表面視で（表面側から見て）、略長方形状の中心部１１の左端から上部方向に左上部軸１２Ｕを延伸させ、略長方形状の中心部１１の右端から下部方向に右下部軸１２Ｄを延伸させた、階段状である。
【００３３】  上回転部４０Ｕは、上部左折り線４０ＵＬと上部右折り線４０ＵＲを有し、中心背当て部１０の上方に位置して、左上部軸１２Ｕの右方に上部左折り線４０ＵＬを介して隣接する。また、上部接続部３０Ｕは、長方形用紙２の右辺２Ｒから上辺２Ｕに右上鍵型（┐型）に位置して、上回転部４０Ｕの上部右折り線４０ＵＲを介して上回転部４０Ｕに隣接する。そして、上部ストッパー２０Ｕは、長方形用紙２の左辺２Ｌの上方に位置して、上部接続部３０Ｕと接続する。
【００３４】  次に、下回転部４０Ｄは、下部左折り線４０ＤＬと下部右折り線４０ＤＲを有し、中心背当て部１０の下方に位置して、右下部軸１２Ｄの左方に下部右折り線４０ＤＲを介して隣接する。また、下部接続部３０Ｄは、長方形用紙２の左辺から下辺に左下鍵型（└型）に位置して、下回転部４０Ｄの下部左折り線４０ＤＬを介して下回転部４０Ｄに隣接する。そして、下部ストッパー２０Ｄは、長方形用紙２の右辺下方に位置して、下部接続部３０Ｄと接続する。
【００３５】  このような、長方形用紙２を構成する中心背当て部１０、上回転部４０Ｕ、上部接続部３０Ｕ、上部ストッパー２０Ｕ、下回転部４０Ｄ、下部接続部３０Ｄ、および、下部ストッパー２０Ｄの７つの構成要素は、以下のように、左上鍵型（┌型）切れ目５０Ｕと直線状第１切れ目５２Ｕと右下鍵型（┘型）切れ目５０Ｄと直線状第２切れ目５２Ｄの４つの切れ目を長方形用紙２に入れることにより形成することができる。以下、この４つの切れ目（切れ込み）について説明する。
【００３６】  長方形用紙２の上方において、左上鍵型（┌型）切れ目５０Ｕは、上部ストッパー２０Ｕと上部接続部３０Ｕとを、中心背当て部１０の左辺及び上回転部４０Ｕの上辺から左上鍵型（┌型）と切り離す。また、直線状第１切れ目５２Ｕは、上部右折り線４０ＵＲを介して隣接する上回転部４０Ｕと上部接続部３０Ｕの各下辺を連続させて切り離す。
【００３７】  次に、長方形用紙２の下方において、右下鍵型（┘型）切れ目５０Ｄは、下部ストッパー２０Ｄと下部接続部３０Ｄとを、中心背当て部１０の右辺及び下回転部４０Ｕの下辺から左下鍵型（┘型）に切り離す。また、直線状第２切れ目５２Ｄは、下部左折り線４０ＤＬを介して隣接する下回転部４０Ｄと下部接続部３０Ｄの各上辺を連続させて切り離す。
【００３８】  以上のような構成の本発明に係る切れ目入り用紙２に折り込みを入れて、実施形態２に係るブックストッパー１を形成するには、まず、表面視で、下部ストッパー２０Ｄを、下回転部４０Ｄの下部左折り線４０ＤＬと下部右折り線４０ＤＲで順に折り返すことにより、時計回りに３６０度回転させる（図５（ａ）、図５（ｂ））。同様に、上部ストッパー２０Ｕを、上回転部４０Ｕの上部右折り線４０ＵＲと上部左折り線４０ＵＬで順に折り返すことにより、反時計回りに３６０度回転させる（図５（ｃ）、図５（ｄ））。
【００３９】  このような簡単な折込手順により、実施形態２に係るブックストッパー１を形成することができ（図４）、上部ストッパー２０Ｕと下部ストッパー２０Ｄとを開帳した本１００の開いたページに当接させて（図６）、しっかりと開帳した本１００を見開きのまま維持することができる。
【００４０】  本発明に係るブックストッパーを形成する切れ目入り用紙は長方形に限定されるものではない。すなわち、  図７に示すように、本発明に係る切れ目入り用紙２’は、表面と裏面の両面を有し、上記直線状第１切れ目５２Ｕと直線状第２切れ目５２Ｄ、および、左上鍵型（┌型）切れ目５０Ｕと右下鍵型（┘型）切れ目５０Ｄの４つの切れ目を入れることができる任意の形状の用紙であってよい。
【００４１】  図７に示す切れ目入り用紙２’においては、上記実施形態の長方形用紙（図５（ａ）参照）の左辺２Ｌ、右辺２Ｒ、上辺２Ｕ、下辺２Ｄにそれぞれ対応する左部境界線２Ｌ’、右部境界線２Ｒ’、上部境界線２Ｕ’、下部境界線２Ｄ’が、切れ目入り用紙２’の表面と裏面の両面を画している。例えば、切れ目入り用紙２’において、左上鍵型（┌型）切れ目５０Ｕと右下鍵型（┘型）切れ目５０Ｄの上下方向に延びる切れ目を延長して、切れ目入り用紙２’の上端と下端の境界と交わる点を、図７のようにＰ、Ｑ、Ｒ、Ｓとして、ＰＱ間の境界線を左辺２Ｌ、ＲＳ間の境界線を右辺２Ｒ、ＳＰ間の境界線を上辺２Ｕ、ＱＲ間の境界線を下辺２Ｄ、とすればよい。
【００４２】  このように、図７に示すような長方形以外の形状の切れ目入り用紙２’であっても、上記４つの切れ目を入れることができれば、折り曲げによって実施形態２に記載したブックストッパーを形成することが可能である。
ＩＩＩ．切れ目入り用紙からブックストッパーを形成する方法
【００４３】  本発明に係るブックストッパー１の形成方法は、表面と裏面の両面を有し、当該両面を表面視で左辺２Ｌ、右辺２Ｒ、上辺２Ｕ、下辺２Ｄとで画する長方形用紙２に切れ目（切り込み）を入れて、折り込みによりブックストッパー１を形成する方法であって、
（ステップ１）長方形用紙２を準備するステップと、
（ステップ１）長方形用紙２に、左上鍵型（┌型）切れ目５０Ｕ及び右下鍵型（┘型）切れ目５０Ｄと、直線状第１切れ目５２Ｕ及び直線状第２切れ目５２Ｄを入れて、略長方形状の中心部１１から左上部軸１２Ｕと右下部軸１２Ｄとを延伸させた階段状の中心背当て部１０と、上部ストッパー２０Ｕ及び下部ストッパー２０Ｄと、上部接続部３０Ｕ及び下部接続部３０Ｄと、上回転部４０Ｕ及び下回転部４０Ｄとに区画された、上記長方形用紙２を形成するステップと、
（ステップ３）下部ストッパー２０Ｄを、下回転部４０Ｄの下部左折り線４０ＤＬで、裏面から表面方向に１８０度折り返すステップと、（図５（ａ））
（ステップ４）前記下部ストッパーを、下回転部４０Ｄの下部右折り線４０ＤＲで、表面から裏面方向に１８０度折り返すステップと、（図５（ｂ））
（ステップ５）前記上部ストッパーを、上回転部４０Ｕの上部右折り線４０ＵＲで、裏面から表面方向に１８０度折り返すステップと、（図５（ｃ））
（ステップ６）前記上部ストッパーを、上回転部４０Ｕの上部左折り線４０ＵＬで、表面から裏面方向に１８０度折り返すステップと、（図５（ｄ））
を含む。
【００４４】  以上、本発明に係るブックストッパー及びこれを形成する切れ目入り用紙、そして、この切れ目入り用紙からブックストッパーを形成する方法について、実施形態を用いて説明したが、本発明は上記実施形態等に限定されるものではない。各実施形態のブックストッパー及びこれを形成する切れ目入り用紙は、構成材料を任意に選択することができ、各構成要素の接続方法も任意である。本発明に係るブックストッパー及びこれを形成する切れ目入り用紙は、裏表を逆にしても同様に使用できるように構成すれば使用態様が広がり、さらに平面内で９０度回転させて使用すれば、より使用態様のバリエーションを増やすことができる。
【００４５】  その他、本発明は、その主旨を逸脱しない範囲で当業者の知識に基づき種々の改良、修正、変更を加えた態様で実施できるものである。
【産業上の利用可能性】
【００４６】  本発明に係るブックストッパーは、見開きのまま開帳を維持したい様々な本に利用することが出来る。
【符号の説明】
【００４７】１：ブックストッパー
２：切れ目入り用紙
２Ｌ：左辺
２Ｒ：右辺
２Ｕ：上辺
２Ｄ：下辺
２Ｌ’：左部境界線
２Ｒ’：右部境界線
２Ｕ’：上部境界線
２Ｄ’：下部境界線
１０：中心背当て部
１１：中心部
１２Ｕ：左上部軸
１２Ｄ：右下部軸
２０Ｕ：上部ストッパー
２０Ｄ：下部ストッパー
３０：接続部
３０Ｕ：上部接続部
３０Ｄ：下部接続部
４０Ｕ：上回転部
４０Ｄ：下回転部
４０ＵＬ：上部左折り線
４０ＵＲ：上部右折り線
４０ＤＬ：下部左折り線
４０ＤＲ：下部右折り線
５０Ｕ：左上鍵型（┌型）切れ目
５０Ｄ：右下鍵型（┘型）切れ目
５２Ｕ：直線状第１切れ目
５２Ｄ：直線状第２切れ目
１００：本
１００Ｂ：裏面背部